(57)【特許請求の範囲】
【請求項１】
ＣＲＤポンプの吐出側に圧力計を備えた充填水ラインを設け、この充填水ラインを充填水ヘッダを介して複数の水圧制御ユニットに接続する一方、上記水圧制御ユニットは高圧ガスにより水を加圧状態で収容するアキュムレータを備え、このアキュムレータをスクラム弁を介してＣＲＤに接続し、前記充填水ラインの圧力計の下流側にオリフィスを設けたことを特徴とする制御棒駆動機構の水圧駆動システム。
【請求項２】
ＣＲＤポンプの吐出側に圧力計を備えた充填水ラインを設け、この充填水ラインを充填水ヘッダを介して複数の水圧制御ユニットに接続する一方、上記水圧制御ユニットは高圧ガスにより水を加圧状態で収容するアキュムレータを備え、このアキュムレータをスクラム弁を介してＣＲＤに接続し、前記充填水ラインを構成する水圧制御ユニットの充填水配管にオリフィスを設けたことを特徴とする制御棒駆動機構の水圧駆動システム。
【請求項３】
水圧制御ユニットの充填水配管に充填水止め弁および充填水チェック弁を順次設ける一方、充填水チェック弁は流入口を形成した流入側ボディブロックと、充填水流路に逆流阻止用ボール等の弁体を収容した中間ボディブロックと、流出口を形成した流出側ボディブロックとを重ねて締付ボルト等の締結手段で共締し、一体的に組み立てた請求項２に記載の制御棒駆動機構の水圧駆動システム。
【請求項４】
ＣＲＤポンプの吐出側に圧力計を備えた充填水ラインを設け、この充填水ラインを充填水ヘッダを介して複数の水圧制御ユニットに接続する一方、上記水圧制御ユニットは高圧ガスにより水を加圧状態で収容するアキュムレータを備え、このアキュムレータをスクラム弁を介してＣＲＤに接続し、前記充填水ラインを構成する水圧制御ユニットの充填水配管に充填水チェック弁を備え、このチェック弁内にオリフィスを設けたことを特徴とする制御棒駆動機構の水圧駆動システム。
【請求項５】
充填水チェック弁は、流入口を形成した流入側ボディブロックと、充填水流路内に逆流阻止用ボール等の弁体を収容した中間ボディブロックと、流出口を形成した流出側ボディブロックとを重ねて締付ボルト等の締結手段で一体的に組み立て、前記中間ボディブロックに形成される弁シート部にオリフィスを形成した請求項４に記載の制御棒駆動機構の水圧駆動システム。
【請求項６】
ＣＲＤポンプの吐出側に圧力計を備えた充填水ラインを設け、この充填水ラインを充填水ヘッダを介して複数の水圧制御ユニットに接続する一方、上記水圧制御ユニットは充填水ラインを構成する充填水配管に充填水仕切弁と充填水チェック弁とを備えるとともに、高圧ガスにより水を加圧状態で収容するアキュムレータを備え、このアキュムレータをスクラム弁を介してＣＲＤに接続した制御棒駆動機構の水圧駆動システムにおいて、前記充填水仕切弁を微開の弁開状態で使用して充填水ラインの流路を絞り込み、単一水圧制御ユニットのスクラム時に充填水ラインの圧力低下を緩和し、充填水ライン圧力低によるインタロック作動を回避して全ＣＲＤのスクラム事象を防止することを特徴とする制御棒駆動機構の水圧駆動システムの運用方法。
【請求項７】
ＣＲＤポンプの吐出側に圧力計を備えた充填水ラインを設け、この充填水ラインを充填水ヘッダを介して複数の水圧制御ユニットに接続する一方、上記水圧制御ユニットは充填水ラインを構成する充填水配管に充填水仕切弁と充填水チェック弁とを備えるとともに、高圧ガスにより水を加圧状態で収容するアキュムレータを備え、このアキュムレータをスクラム弁を介してＣＲＤに接続した制御棒駆動機構の水圧駆動システムにおいて、単一水圧制御ユニットのスクラム時に短時間でスクラムリセットを行なってスクラム弁を閉じ、充填水ラインの圧力がインタロック作動設定値まで低下するのを防止し、充填水ライン圧力低によるインタロック作動を回避して全ＣＲＤのスクラム事象を防止することを特徴とする制御棒駆動機構の水圧駆動システムの運用方法。
【請求項８】
ＣＲＤポンプの吐出側に圧力計を備えた充填水ラインを設け、この充填水ラインを充填水ヘッダを介して複数の水圧制御ユニットに接続する一方、上記水圧制御ユニットは充填水ラインを構成する充填水配管に充填水仕切弁と充填水チェック弁とを備えるとともに、高圧ガスにより水を加圧状態で収容するアキュムレータを備え、このアキュムレータをスクラム弁を介してＣＲＤに接続した制御棒駆動機構の水圧駆動システムにおいて、単一水圧制御ユニットのスクラム時に、充填水仕切弁を閉じて充填水ラインの圧力低下を防止し、充填水ライン圧力低によるインタロック作動を回避して全ＣＲＤのスクラム事象を防止することを特徴とする制御棒駆動機構の水圧駆動システムの運用方法。
【発明の詳細な説明】
【０００１】
【発明の属する技術分野】
本発明は制御棒駆動機構の水圧駆動システムおよびその運用方法に係り、特に改良型沸騰水型原子炉に適用される制御棒駆動機構の水圧駆動システムおよびその運用方法に関する。
【０００２】
【従来の技術】
軽水炉の中には原子炉内再循環系としてインターナルポンプを備えた改良型沸騰水型原子炉（以下、ＡＢＷＲという。）がある。このＡＢＷＲにおいては、原子炉の出力制御や運転・停止を電動型制御棒駆動機構（以下、ＣＲＤという。）により制御棒の炉心出入れ制御により行なっている。ＣＲＤは通常運転時の出力制御を電動モータの駆動により、また、スクラム時の緊急駆動を水圧制御により行なっている。
【０００３】
従来のＡＢＷＲでは、スクラム時にＣＲＤを緊急作動させるために、ＣＲＤ水圧駆動システム（ＣＲＤ水圧駆動系）１が設けられている。このＣＲＤ水圧駆動システム１は図１０に示すように構成されており、ＣＲＤポンプ２を備える。
【０００４】
ＣＲＤポンプ２の吐出側はパージ水配管３と充填水配管４に分岐される。充填水配管４は途中にオリフィス５、逆止弁６、アキュムレータ７および圧力計８を順次設けて充填水ヘッダ９に接続される。
【０００５】
充填水ヘッダ９から複数本の充填水分岐管４ａ，４ｂ，…，４ｎが延びており、これらの分岐管４ａ，４ｂ，…，４ｎは水圧制御ユニット（以下、ＨＣＵという。）１０にそれぞれ接続され、充填水ライン１１が構成される。充填水ライン１１はＨＣＵ１０内に設けられた駆動水配管１２に充填水仕切弁を兼ねる充填水止め弁１３および充填水チェック弁１４を介して接続される。
【０００６】
一方、ＨＣＵ１０は駆動水である高圧水が充填されたアキュムレータ１５を備える。このアキュムレータ１５は接続配管１６を介して窒素容器１７に接続され、窒素容器１７内に充填された高圧の窒素ガスにより充填水は加圧された状態に保持される。
【０００７】
アキュムレータ１５に接続された駆動水配管１２にはスクラム弁１８が備えられ、このスクラム弁１８の下流側で駆動水配管１２は２本の分岐管１２ａ，１２ｂに分岐された後、それぞれ仕切弁１９ａ，１９ｂを介して対をなす一対のＣＲＤ２０ａ，２０ｂに接続される。
【０００８】
次に、ＣＲＤ水圧駆動システム１の作動関係を説明する。
【０００９】
通常運転時には、ＨＣＵ１０のアキュムレータ１５内にＣＲＤポンプ２により、所定量、例えば約６６リットルの水が加圧状態に充填されている。この運転時には、ＨＣＵ１０のスクラム弁１８は閉じていて、アキュムレータ１５や充填水ライン１１からＣＲＤ２０ａ，２０ｂへの水の流れは生じていない。
【００１０】
万一、充填水ライン１１に水の漏洩等が発生した場合において、ＣＲＤポンプ２のポンプ作動が停止すると、充填水ライン１１の圧力低下が生じる。このとき、充填水ライン１１の圧力を圧力計８により常時監視しており、充填水ライン１１の圧力低下が所定値以下に低下したとき、インタロックが作動し、全ての制御棒がスクラム作動するようになっている。
【００１１】
一方、制御棒のスクラム操作を行なうときは、中央制御室の操作盤からスクラム指令を出力しており、操作盤からスクラム指令を出すと、ＨＣＵ１０のスクラム弁１８が開く。このスクラム弁１８の開放により、アキュムレータ１５内に充填された高圧水が駆動水配管１２により仕切弁１９ａ，１９ｂを通って対をなすＣＲＤ２０ａ，２０ｂに供給される。
【００１２】
ＣＲＤ２０ａ，２０ｂ内に高圧水が供給されると、ＣＲＤ２０ａ，２０ｂ内のピストンが上端まで高速で押し上げられ、ピストンの先端側に保持された制御棒は炉心内に完全に急速挿入され、スクラムされる。
【００１３】
一方、スクラム弁１８を開放させるスクラム指令は、スクラム信号がリセットされるまで続けられ、アキュムレータ１５内の水が無くなった後も、スクラム弁１８が開いたままの状態に保持される。このとき、ＣＲＤポンプ２から供給される高圧水は、充填水ライン１１を通って駆動水配管１２に供給され、さらにスクラム弁１８を通ってＣＲＤ２０ａ，２０ｂに供給され続ける。
【００１４】
【発明が解決しようとする課題】
従来のＣＲＤ水圧駆動システム１においては、単一ＨＣＵ１０をスクラム操作により一対のＣＲＤ２０ａ，２０ｂのみをスクラムさせた場合、スクラムリセットされるまでスクラム弁１８が開いたままの状態に保持される。このために、ＣＲＤポンプ２から供給される高圧水は、充填水ライン１１を通って駆動水配管１２に導かれ、スクラム弁１８からＣＲＤ２０ａ，２０ｂに供給され続ける。
【００１５】
このとき、充填水ライン１１とＣＲＤ２０ａ，２０ｂ内部の圧力差が大きく、かつ充填水ライン１１を通る流体抵抗が小さいため、高圧水がスムーズに流れ、充填水ライン１１の圧力が低下する。その結果、充填水ライン１１の圧力が、インタロック作動の設定値を下廻り、充填水ライン圧力低のインタロック作動が生じて、全ＣＲＤが緊急全挿入され、スクラムし、原子炉の運転を停止させてしまう可能性があった。
【００１６】
本発明は、上述した事情を考慮してなされたもので、一対の制御棒駆動機構（ＣＲＤ）がスクラムした場合、充填水ラインの圧力が所定値以下に低下するのを防止し、全てのＣＲＤのスクラム作動を未然にかつ確実に防止するようにした制御棒駆動機構の水圧駆動システムおよびその運用方法を提供するにある。
【００１７】
【課題を解決するための手段】
本発明に係る制御棒駆動機構の水圧駆動システムは、上述した課題を解決するために、請求項１に記載したように、ＣＲＤポンプの吐出側に圧力計を備えた充填水ラインを設け、この充填水ラインを充填水ヘッダを介して複数の水圧制御ユニットに接続する一方、上記水圧制御ユニットは高圧ガスにより水を加圧状態で収容するアキュムレータを備え、このアキュムレータをスクラム弁を介してＣＲＤに接続し、前記充填水ラインの圧力計の下流側にオリフィスを設けたものである。
【００１８】
また、本発明に係る制御棒駆動機構の水圧駆動システムは、上述した課題を解決するために、請求項２に記載したように、ＣＲＤポンプの吐出側に圧力計を備えた充填水ラインを設け、この充填水ラインを充填水ヘッダを介して複数の水圧制御ユニットに接続する一方、上記水圧制御ユニットは高圧ガスにより水を加圧状態で収容するアキュムレータを備え、このアキュムレータをスクラム弁を介してＣＲＤに接続し、前記充填水ラインを構成する水圧制御ユニットの充填水配管にオリフィスを設けたものである。
【００１９】
さらに、上述した課題を解決するために、本発明に係る制御棒駆動機構の水圧駆動システムは、請求項３に記載したように、水圧制御ユニットの充填水配管に充填水止め弁および充填水チェック弁を順次設ける一方、充填水チェック弁は流入口を形成した流入側ボディブロックと、充填水流路に逆流阻止用ボール等の弁体を収容した中間ボディブロックと、流出口を形成した流出側ボディブロックとを重ねて締付ボルト等の締結手段で共締し、一体的に組み立てたものである。
【００２０】
また、本発明に係る制御棒駆動機構の水圧駆動システムは、上述した課題を解決するために、請求項４に記載したように、ＣＲＤポンプの吐出側に圧力計を備えた充填水ラインを設け、この充填水ラインを充填水ヘッダを介して複数の水圧制御ユニットに接続する一方、上記水圧制御ユニットは高圧ガスにより水を加圧状態で収容するアキュムレータを備え、このアキュムレータをスクラム弁を介してＣＲＤに接続し、前記充填水ラインを構成する水圧制御ユニットの充填水配管に充填水チェック弁を備え、このチェック弁内にオリフィスを設けたものである。
【００２１】
さらに、上述した課題を解決するために、本発明に係る制御棒駆動機構の水圧駆動システムは、請求項５に記載したように、充填水チェック弁は、流入口を形成した流入側ボディブロックと、充填水流路内に逆流阻止用ボール等の弁体を収容した中間ボディブロックと、流出口を形成した流出側ボディブロックとを重ねて締付ボルト等の締結手段で一体的に組み立て、前記中間ボディブロックに形成される弁シート部にオリフィスを形成したものである。
【００２２】
一方、本発明に係る制御棒駆動機構の水圧駆動システムの運用方法は、上述した課題を解決するために、請求項６に記載したように、ＣＲＤポンプの吐出側に圧力計を備えた充填水ラインを設け、この充填水ラインを充填水ヘッダを介して複数の水圧制御ユニットに接続する一方、上記水圧制御ユニットは充填水ラインを構成する充填水配管に充填水仕切弁と充填水チェック弁とを備えるとともに、高圧ガスにより水を加圧状態で収容するアキュムレータを備え、このアキュムレータをスクラム弁を介してＣＲＤに接続した制御棒駆動機構の水圧駆動システムにおいて、前記充填水仕切弁を微開の弁開状態で使用して充填水ラインの流路を絞り込み、単一水圧制御ユニットのスクラム時に充填水ラインの圧力低下を緩和し、充填水ライン圧力低によるインタロック作動を回避して全ＣＲＤのスクラム事象を防止する方法である。
【００２３】
さらに、本発明に係る制御棒駆動機構の水圧駆動システムの運用方法は、上述した課題を解決するために、請求項７に記載したように、ＣＲＤポンプの吐出側に圧力計を備えた充填水ラインを設け、この充填水ラインを充填水ヘッダを介して複数の水圧制御ユニットに接続する一方、上記水圧制御ユニットは充填水ラインを構成する充填水配管に充填水仕切弁と充填水チェック弁とを備えるとともに、高圧ガスにより水を加圧状態で収容するアキュムレータを備え、このアキュムレータをスクラム弁を介してＣＲＤに接続した制御棒駆動機構の水圧駆動システムにおいて、単一水圧制御ユニットのスクラム時に短時間でスクラムリセットを行なってスクラム弁を閉じ、充填水ラインの圧力がインタロック作動設定値まで低下するのを防止し、充填水ライン圧力低によるインタロック作動を回避して全ＣＲＤのスクラム事象を防止する方法である。
【００２４】
また、本発明に係る制御棒駆動機構の水圧駆動システムの運用方法は、上述した課題を解決するために、請求項８に記載したように、ＣＲＤポンプの吐出側に圧力計を備えた充填水ラインを設け、この充填水ラインを充填水ヘッダを介して複数の水圧制御ユニットに接続する一方、上記水圧制御ユニットは充填水ラインを構成する充填水配管に充填水仕切弁と充填水チェック弁とを備えるとともに、高圧ガスにより水を加圧状態で収容するアキュムレータを備え、このアキュムレータをスクラム弁を介してＣＲＤに接続した制御棒駆動機構の水圧駆動システムにおいて、単一水圧制御ユニットのスクラム時に、充填水仕切弁を閉じて充填水ラインの圧力低下を防止し、充填水ライン圧力低によるインタロック作動を回避して全ＣＲＤのスクラム事象を防止する方法である。
【００２５】
【発明の実施の形態】
本発明の一実施例について添付図面を参照して説明する。
【００２６】
図１は本発明に係る制御棒駆動機構（ＣＲＤ）の水圧駆動システムの第１実施形態を示す系統図である。
【００２７】
このＣＲＤの水圧駆動システム２１は、改良型沸騰水型原子炉（ＡＢＷＲ）に適用されるものである。ＡＢＷＲでは電動モータを備えた電動駆動型制御棒駆動機構（以下、ＦＭＣＲＤという。）が用いられる。このＦＭＣＲＤはＡＢＷＲの出力制御や運転・停止を電動モータのモータ駆動により行ない、スクラム駆動を水圧制御ユニット（ＨＣＵ）１０からの水圧駆動により行なうようになっている。
【００２８】
ＣＲＤの水圧駆動システム２１を説明するに当り、図１０に示された従来のＣＲＤの水圧駆動システム１と共通する部材には同一符号を付して説明を省略する。この水圧駆動システム２１は、充填水ライン１１の圧力計８の下流側にオリフィス２２を設置したものである。このオリフィス２２は充填水ライン１１の充填水配管４に、圧力計８と充填水ヘッダ９との間に設置される。
【００２９】
圧力計８は充填水ライン１１の水圧力を常時監視して検出し、その検出信号を中央制御室（図示せず）の操作盤等に送っている。充填水ヘッダ９は、充填水ライン１１を通って送られるＣＲＤポンプ２からの高圧水を複数の充填水分岐管４ａ，４ｂ，…，４ｎに分流させ、これらの充填水分岐管４ａ，４ｂ，…，４ｎを介して各単一の水圧制御ユニット（ＨＣＵ）１０にそれぞれ供給するように接続される。
【００３０】
一方、充填水ライン１１には圧力計８の上流側にアキュムレータ７および逆止弁６が設けられている。アキュムレータ７は、何らかの原因でＣＲＤポンプ２が停止したとき、充填水ライン１１の圧力が瞬時に低下するのを防止している。また、逆止弁６は、何らかの原因でＣＲＤポンプ２が停止した場合に、充填水ライン１１の圧力低下を防止するために設けられている。
【００３１】
充填水ライン１１にはＨＣＵ１０内で充填水止め弁１３および充填水チェック弁（逆止弁）１４が設けられる。充填水チェック弁１４は何らかの原因で充填水ライン１１の圧力低下があった場合に、ＨＣＵ１０内のアキュムレータ１５の水圧力の低下を防止するために設けられる。また、充填水止め弁１３は、ＨＣＵ１０を充填水ライン１１から分離可能となるように設けられる。充填水止め弁１３は仕切弁として構成してもよい。
【００３２】
ところで、充填水ライン１１の圧力計８の下流側に設置されるオリフィス２２は、図２に示すように構成される。
【００３３】
オリフィス２２は、充填水配管４に介装され、固定設置されるスリーブ状の本体筒２４を有する。この本体筒２４には小口径のオリフィス孔２５を中央に備えた隔壁２６で仕切られており、本体筒２４内の両側チャンバ２７ａ，２７ｂはオリフィス孔２５を介して連通される。
【００３４】
また、ＨＣＵ１０内の充填水配管に設置された充填水チェック弁１４は、図３に示す構造を有する。
【００３５】
この充填水チェック弁１４は、流入口３０を形成した流入側ボディブロック３１と、充填水流路３２を形成した中間ボディブロック３３と、流出口３４を形成した流出側ボディブロック３５とを重ね合せて、複数の締付ボルト３６等の締結手段でガスケット３７等のシール手段を介して共締めして構成される。符号３８は止め栓であり、３９はばね座金である。
【００３６】
流入側ボディブロック３１は充填水ライン１１の上流側充填水配管４に固定接続される一方、流出側ボディブロック３５は充填水ライン１１の下流側充填水配管４に接続される。
【００３７】
また、中間ボディブロック３３には充填水流路３２が多段構造、例えば２段構造に形成される。充填水流路３２は下流側に広い流路が弁体収納チャンバ４０として形成され、この弁体収納チャンバ４０に逆流阻止用ボール４１が収納されて充填水チェック弁１４が構成される。弁体は逆流阻止用ボール４１に代えて逆流阻止用ニードルであっても、あるいは錐体形状の弁体であってもよい。
【００３８】
図３に示す充填水チェック弁１４は流入側ボディブロック３１と中間ボディブロック３３と流出側ボディブロック３５とを重ね合せて締付ボルト３６等の締結手段で分解可能に組み立てた三層構造であるため、締付ボルト３６を緩めることにより中間ボディブロック３３だけを容易に取り出すことができ、逆流阻止用ボール４１を着座させる弁シート部が傷んでリークが生じた場合、弁シート部のメンテナンスが容易である。
【００３９】
次に、ＣＲＤの水圧駆動システム２１の作用を説明する。
【００４０】
ＣＲＤの水圧駆動システム２１はＣＲＤのスクラム操作を行なうときに作動せしめられる。制御棒のスクラム操作を行なう場合には、図示しない中央制御室の操作盤からスクラム指令（スクラム信号）を出力する。このスクラム信号によりＨＣＵ１０のスクラム弁１８が作動し、開放される。スクラム弁１８が開放されると、ＨＣＵ１０のアキュムレータ１５内に充填されている高圧水が仕切弁１９ａ，１９ｂを通って一対のＣＲＤ（ＦＭＣＲＤ）２０ａ，２０ｂに供給される。
【００４１】
ＣＲＤ２０ａ，２０ｂ内に高圧水が供給されると、ＣＲＤ２０ａ，２０ｂ内のピストン（図示せず）が高速で押し上げられ、ピストンに保持された制御棒が炉心内に急速かつ完全に挿入され、スクラム操作される。このスクラム操作により、スクラム信号がリセットされるまでは、アキュムレータ１５内の高圧水が無くなっても、スクラム弁１８は開状態に保持される。このため、アキュムレータ１５内の高圧水が無くなっても、ＣＲＤポンプ２からの高圧水が充填水ライン１１を通り、続いてスクラム弁１８を通ってＣＲＤ２０ａ，２０ｂに供給され続ける。
【００４２】
制御棒のスクラム操作時には、アキュムレータ１５内の高圧水が無くなっても、充填水ライン１１から高圧水が供給され続けようとするため、充填水ライン１１内の圧力が低下しようとする。
【００４３】
しかし、このとき、充填水ライン１１には圧力計８の下流側にオリフィス２２が設けられ、このオリフィス２２が充填水ライン１１の流体抵抗となり、充填水配管４内の圧力低下が緩和され、充填水配管４内の圧力がインタロック作動の設定値を下廻ることを確実に回避することができる。
【００４４】
したがって、単一ＨＣＵ１０のスクラム時に、充填水ライン１１が所定値以上（インタロック作動設定値以下）に圧力低下することを確実に防止でき、充填水ライン圧力低によるインタロック作動を確実に回避できる。このため、単一ＨＣＵ１０のスクラム時に、インタロック作動が生じて全ての制御棒がスクラム作動するのを防止でき、全炉心スクラムの発生を未然にかつ確実に防止できる。
【００４５】
ＣＲＤの水圧駆動システム２１では、充填水ライン１１の圧力計８の下流側にオリフィス２２を設け、このオリフィス２２に形成される小口径のオリフィス孔２５で流体（充填水）の流れを絞り込むことにより、流体はオリフィス部で大きな抵抗を受け、上流側の圧力が下流側に較べて大きくなり、オリフィス２２の上流側の圧力をある設定値以上に保つことができ、この充填水ライン１１内の圧力を圧力計８側で設定値以上に保持することで、全炉心スクラムを防止することができる。
【００４６】
このＣＲＤの水圧駆動システム２１によれば、単一ＨＣＵ１０のスクラム時に、ＣＲＤポンプ２から供給される充填水が、充填水ライン１１を通ってＣＲＤ２０ａ，２０ｂに流れ続けても、充填水ライン１１の圧力計８下流に設けられたオリフィス２２による抵抗により、充填水ライン１１の圧力低下が緩和され、充填水ライン圧力低によるインタロック作動を確実に防止でき、インタロック作動による全てのＣＲＤのスクラム事象を未然にかつ確実に防止できる。
【００４７】
また、ＣＲＤの水圧駆動システム２１においては、充填水ライン１１の圧力計８の下流側に図２に示すオリフィス２２を設置した例を示したが、このオリフィス２２に代えて、図４に示すオリフィス４４を用いてもよい。
【００４８】
このオリフィス４４は２分割可能な筒エレメントを一体に組み立てたスリーブ状の本体筒４５を有する。この本体筒４５内に軸方向に間隔をおいて複数、例えば２つの隔壁４６ａ，４６ｂが設けられ、各隔壁４６ａ，４６ｂに小口径のオリフィス孔４７ａ，４７ｂが中央に穿設され、各隔壁４６ａ，４６ｂ間に膨脹チャンバ４８が形成される。このオリフィス４４では流体（充填水）が２回絞られるため、より大きな抵抗を付与することができる。
【００４９】
図４に示すオリフィス４４では、内部に形成される小口径のオリフィス孔４７ａ，４７ｂを複数段に形成することにより、各段のオリフィス孔４７ａ，４７ｂの両側（上流側と下流側）の圧力差を小さくとることができ、高差圧によって生じるキャビテーション等の発生を防ぐことができる。また、各段のオリフィス孔４７ａ，４７ｂ両側圧力差を小さくとっても、オリフィス４４全体としての圧力差を大きくとることができる。
【００５０】
次に、ＣＲＤの水圧駆動システムの第２実施形態を図５を参照して説明する。
【００５１】
この実施形態に示されたＣＲＤの水圧駆動システム２１Ａは、充填水ライン１１の充填水ヘッダ９の下流側にオリフィス５０を設けたものである。このオリフィス５０は、充填水ライン１１の充填水分岐管４ａ，４ｂ，…，４ｎに、充填水ヘッダ９と水圧制御ユニット１０との間に設置したものである。オリフィス５０の構造は図２および図４に示すオリフィス２２と異ならないので説明を省略する。
【００５２】
また、ＣＲＤの水圧駆動システム２１Ａの全体的な構成は、図１に示す水圧駆動システム２１とオリフィス５０の設置位置を除いて異ならないので、共通する部材には同一符号を付して説明を省略する。
【００５３】
図５に示すＣＲＤの水圧駆動システム２１Ａは、充填水ライン１１のうち、圧力計８の下流側である充填水ヘッダ９の下流側に、すなわち、充填水ヘッダ９の下流側の充填水分岐管４ａ，４ｂ，…，４ｎにオリフィス５０を設けたものである。
【００５４】
図５に示すＣＲＤの水圧駆動システムの作用を説明する。
【００５５】
ＣＲＤの水圧駆動システム２１Ａは、制御棒のスクラム操作を行なうときに作動せしめられる。制御棒のスクラム操作を行なう場合には、図示しない中央制御室の操作盤からスクラム指令（スクラム信号）を出力する。このスクラム信号によりＨＣＵ１０のスクラム弁１８が作動し、開放される。スクラム弁１８が開放されると、ＨＣＵ１０のアキュムレータ１５内に充填されている高圧水が仕切弁１９ａ，１９ｂを通って対をなすＣＲＤ（ＦＭＣＲＤ）２０ａ，２０ｂに供給される。
【００５６】
ＣＲＤ２０ａ，２０ｂに高圧水が供給されると、ＣＲＤ２０ａ，２０ｂ内のピストン（図示せず）が高速で押し上げられ、ピストン先端側に保持された制御棒を急速に炉心内に挿入するスクラム作動が行なわれる。このスクラム作動によりスクラム信号がリセットされるまで、アキュムレータ１５内の高圧水が供給され続け、アキュムレータ１５内の水が無くなっても、スクラム弁１８は開放状態に保持される。このため、アキュムレータ１５内の高圧水が無くなっても、代りにＣＲＤポンプ２からの高圧水が充填水ライン１１を通ってＣＲＤ２０ａ，２０ｂに供給され続ける。
【００５７】
制御棒のスクラム操作時には、アキュムレータ１５内の高圧水が無くなっても、充填水ライン１１から高圧水が供給され続けようとするため、充填水ライン１１内の圧力が低下しようとする傾向にある。
【００５８】
しかし、このとき、充填水ライン１１には、充填水ヘッダ９の下流側充填水分岐管４ａ，４ｂ，…，４ｎにオリフィス５０がそれぞれ設けられているため、このオリフィス５０が抵抗となり、充填水ライン１１は充填水ヘッダ９の上流側での圧力低下が緩和される。これにより、充填水ライン１１は、圧力計８が存在する充填水配管４内の圧力がインタロック作動の設定値以下に下がるのを確実に防止でき、単一ＨＣＵ１０のスクラム時に、インタロック作動により全てのＣＲＤがスクラム作動し、全炉心スクラムが発生するのを未然にかつ確実に防止できる。このため、単一ＨＣＵ１０のスクラム時に全炉心スクラムが発生して、ＡＢＷＲの運転が停止するのを未然に防止でき、ＡＢＷＲの経済的で効率的な運転を保証できる。
【００５９】
次に、ＣＲＤの水圧駆動システムの第３実施形態を図６を参照して説明する。
【００６０】
この実施形態に示されたＣＲＤの水圧駆動システム２１Ｂは、充填水ライン１１の充填水分岐管４ａ，４ｂ，…，４ｎにＨＣＵ１０内でオリフィス５２を設けたものである。このオリフィス５２は、充填水ライン１１の充填水分岐管４ａ，４ｂ，…，４ｎに、充填水止め弁１３と充填水チェック弁１４との間に設置したものである。オリフィス５２の構造は図２および図４に示すオリフィス２２と異ならないので説明を省略する。
【００６１】
また、ＣＲＤの水圧駆動システム２１Ｂの全体的な構成は、図１に示す水圧駆動システム２１とオリフィス２２の設置位置を除いて異ならないので、共通する部材には同一符号を付して説明を省略する。
【００６２】
図６に示すＣＲＤの水圧駆動システム２１Ｂは、充填水ライン１１のうち、圧力計８の下流側であるＨＣＵ１０の充填水分岐管４ａ，４ｂ，…，４ｎに、すなわち、充填水ヘッダ９の下流側の充填水分岐管４ａ，４ｂ，…，４ｎに、充填水止め弁１３と充填水チェック弁１４の間にオリフィス５２を設けたものである。
【００６３】
図６に示すＣＲＤの水圧駆動システム２１Ｂの作用を説明する。
【００６４】
ＣＲＤの水圧駆動システム２１Ｂは、制御棒のスクラム操作を行なうときに作動せしめられる。制御棒のスクラム操作を行なう場合には、図示しない中央制御室の操作盤からスクラム指令（スクラム信号）を出力する。このスクラム信号によりＨＣＵ１０のスクラム弁１８が作動し、開放される。スクラム弁１８が開放されると、ＨＣＵ１０のアキュムレータ１５内に充填されている高圧水が仕切弁１９ａ，１９ｂを通って対をなすＣＲＤ（ＦＭＣＲＤ）２０ａ，２０ｂに供給される。
【００６５】
ＣＲＤ２０ａ，２０ｂに高圧水が供給されると、ＣＲＤ２０ａ，２０ｂ内のピストン（図示せず）が高速で押し上げられ、ピストン先端側に保持された制御棒を急速に炉心内に挿入するスクラム作動が行なわれる。このスクラム作動によりスクラム信号がリセットされるまで、アキュムレータ１５内の高圧水が供給され続け、アキュムレータ１５内の水が無くなっても、スクラム弁１８は開放状態に保持される。このため、アキュムレータ１５内の高圧水が無くなっても、代りにＣＲＤポンプ２からの高圧水が充填水ライン１１を通ってＣＲＤ２０ａ，２０ｂに供給され続ける。
【００６６】
制御棒のスクラム操作時には、アキュムレータ１５内の高圧水が無くなっても、充填水ライン１１から高圧水が供給され続けようとするため、充填水ライン１１内の圧力が低下しようとする傾向にある。
【００６７】
しかし、このとき、充填水ライン１１には、充填水ヘッダ９の下流側充填水分岐管４ａ，４ｂ，…，４ｎに、充填水止め弁１３と充填水チェック弁１４との間でオリフィス５２がそれぞれ設けられているため、このオリフィス５２が抵抗となり、充填水ライン１１は充填水ヘッダ９の上流側での圧力低下が緩和される。これにより、充填水ライン１１は、圧力計８が存在する充填水配管４内の圧力がインタロック作動の設定値以下に下がるのを確実に防止でき、単一ＨＣＵ１０のスクラム時に、インタロック作動により全てのＣＲＤがスクラム作動し、全炉心スクラムが発生するのを未然にかつ確実に防止できる。このため、単一ＨＣＵ１０のスクラム時に全炉心スクラムが発生して、ＡＢＷＲの運転が停止するのを未然に防止でき、ＡＢＷＲの経済的で効率的な運転を保証できる。
【００６８】
次に、ＣＲＤの水圧駆動システムの第４実施形態を図７を参照して説明する。
【００６９】
この実施形態に示されたＣＲＤの水圧駆動システム２１Ｃは、充填水ライン１１の充填水ヘッダ９下流側であってＨＣＵ１０内にオリフィス５４を設けたものである。このオリフィス５４は、ＨＣＵ１０内の充填水チェック弁１４の下流側に設置したものである。オリフィス５４の構造は図２および図４に示すオリフィス２２と異ならないので説明を省略する。
【００７０】
また、ＣＲＤの水圧駆動システム２１Ｃの全体的な構成は、図１に示す水圧駆動システム２１とオリフィス２２の設置位置を除いて異ならないので、共通する部材には同一符号を付して説明を省略する。
【００７１】
図７に示すＣＲＤの水圧駆動システム２１Ｃは、充填水ライン１１のうち、圧力計８の下流側であるＨＣＵ１０内の充填水チェック弁１４の下流側に、すなわち、充填水チェック弁１４と駆動水配管１２の接続部との間の充填水分岐管４ａ，４ｂ，…，４ｎにオリフィス５４を設けたものである。
【００７２】
図７に示すＣＲＤの水圧駆動システム２１Ｃの作用を説明する。
【００７３】
ＣＲＤの水圧駆動システム２１Ｃは、制御棒のスクラム操作を行なうときに作動せしめられる。制御棒のスクラム操作を行なう場合には、図示しない中央制御室の操作盤からスクラム指令（スクラム信号）を出力する。このスクラム信号によりＨＣＵ１０のスクラム弁１８が作動し、開放される。スクラム弁１８が開放されると、ＨＣＵ１０のアキュムレータ１５内に充填されている高圧水が仕切弁１９ａ，１９ｂを通って対をなすＣＲＤ（ＦＭＣＲＤ）２０ａ，２０ｂに供給される。
【００７４】
ＣＲＤ２０ａ，２０ｂに高圧水が供給されると、ＣＲＤ２０ａ，２０ｂ内のピストン（図示せず）が高速で押し上げられ、ピストン先端側に保持された制御棒を急速に炉心内に挿入するスクラム作動が行なわれる。このスクラム作動によりスクラム信号がリセットされるまで、アキュムレータ１５内の高圧水が供給され続け、アキュムレータ１５内の水が無くなっても、スクラム弁１８は開放状態に保持される。このため、アキュムレータ１５内の高圧水が無くなっても、代りにＣＲＤポンプ２からの高圧水が充填水ライン１１を通ってＣＲＤ２０ａ，２０ｂに供給され続ける。
【００７５】
制御棒のスクラム操作時には、アキュムレータ１５内の高圧水が無くなっても、充填水ライン１１から高圧水が供給され続けようとするため、充填水ライン１１内の圧力が低下しようとする傾向にある。
【００７６】
しかし、このとき、充填水ライン１１には、充填水ヘッダ９の下流側充填水分岐管４ａ，４ｂ，…，４ｎに、ＨＣＵ１０内の充填水チェック弁１４と駆動水配管１２の接続部との間にオリフィス５４がそれぞれ設けられているため、このオリフィス５４が抵抗となり、充填水ライン１１は充填水ヘッダ９の上流側での圧力低下が緩和される。これにより、充填水ライン１１は、圧力計８が存在する充填水配管４内の圧力がインタロック作動の設定値以下に下がるのを確実に防止でき、単一ＨＣＵ１０のスクラム時に、インタロック作動により全てのＣＲＤがスクラム作動し、全炉心スクラムが発生するのを未然にかつ確実に防止できる。このため、単一ＨＣＵ１０のスクラム時に全炉心スクラムが発生して、ＡＢＷＲの運転が停止するのを未然に防止でき、ＡＢＷＲの経済的で効率的な運転を保証できる。
【００７７】
また、本発明に係るＣＲＤの水圧駆動システムにおいては、ＣＲＤポンプ２からの充填水ライン１１に、圧力計８の下流側にオリフィスを設置した例を示したが、このオリフィス５６を図８に示すように、充填水チェック弁１４Ａに組み込むようにしてもよい。充填水チェック弁１４Ａにオリフィス５６を備えた場合、このチェック弁１４Ａを従来の充填水チェック弁１４に代えて用いることにより、図１０に示す従来のＣＲＤの水圧駆動システムの系統をそのまま使用することができる。
【００７８】
オリフィスを備えた充填水チェック弁１４Ａは、図１，図５，図６および図７に示された充填水チェック弁１４に代えて使用することもできる。
【００７９】
オリフィスを備えた充填水チェック弁１４Ａは、図８に示す構造を有する。この充填水チェック弁１４Ａは、図３に示す充填水チェック弁１４にオリフィス５６を付設したものであり、全体的な構成はオリフィス５６の形成を除いて図３に示すチェック弁１４と実質的に異ならない。
【００８０】
図８に示された充填水チェック弁１４Ａは、流入口３０を形成した流入側ボディブロック３１と、充填水流路３２を形成した中間間ボディブロック３３と、流出口３４を形成した流出側ボディブロック３５とを重ね合せて三層構造とし、締付ボルト３６等の締結手段で分解可能に共締めしたものである。各ボディブロック３１，３３，３５の重ね合せ面には、少なくとも一方にＯリング５７等のシール手段を介装する環状溝が形成される。符号３８は止め栓であり、３９はばね座金である。
【００８１】
流入側ボディブロック３１と中間ボディブロック３３とは位置合せが容易になるように凹凸嵌合せしめられる。流出側ボディブロック３５と中間ボディブロック３３とを凹凸嵌合させて、位置合せを容易にしてもよい。また、流入側ボディブロック３１は充填水ライン１１の上流側充填水配管４に溶接等で固定接続され、流出側ボディブロック３５は充填水ライン１１の下流側充填水配管４に固定接続される。
【００８２】
一方、中間ボデッブロック３３には、充填水流路３２が多段構造、例えば２段に形成される一方、多段の充填水流路は上流側が流路面積の小さな流路に形成され、下流側が流路面積の大きな流路に形成される。この大きな流路が弁体収納チャンバ４０として形成され、内部に逆流阻止用ボール４１が弁体として収納されて充填水チェック弁１４Ａが構成される。弁体は逆流阻止用ボール４１に代えて逆流阻止用ニードルであっても、あるいは錐体形状の弁体であってもよい。
【００８３】
また、中間ボディブロック３３の充填水流路３２の上流側は隔壁６０により仕切られる一方、この隔壁６０の中央部に小口径のオリフィス孔６１が穿設されて、オリフィス５６が形成される。オリフィス孔６１を備えた隔壁６０は、中間ボディブロック３３と一体成形により形成しても、また、別体で成形された隔壁６０を中間ボディブロック３３の充填水流路３２に一体的に組み付けるようにしてもよい。
【００８４】
次に、図８に示された充填水チェック弁１４Ａを図１０に示すＣＲＤの水圧駆動システムに組み付けた場合の作用を説明する。
【００８５】
ＡＢＷＲの通常運転時には、図１０に示すように、ＨＣＵ１０のスクラム弁１８は閉じており、ＣＲＤポンプ２から吐出される高圧水は、充填水ライン１１を通ってＨＣＵ１０のアキュムレータ１５に供給され、所要量充填される。
【００８６】
アキュムレータ１５は高圧水が充填された状態で、ＣＲＤポンプ２が停止したり、耐圧部の漏洩等により充填水ライン１１の圧力が万一低下した場合、充填水チェック弁１４Ａの逆流阻止用ボール４１が弁シート部に着座してアキュムレータ１５内の高圧水が充填水ライン１１に逆流するのを防止している。この結果、アキュムレータ１５は高圧状態を維持できるのでスクラム機能が喪失するとことはない。
【００８７】
また、制御棒のスクラム操作時には、図示しない中央制御室の操作盤からスクラム指令（スクラム信号）を出力する。このスクラム信号により図１０に示すＨＣＵ１０内のスクラム弁１８が作動し、開放される。このスクラム弁１８の開放により、ＨＣＵ１０のアキュムレータ１５内の高圧水が仕切弁１９ａ，１９ｂを通って対をなすＣＲＤ（ＦＭＣＲＤ）２０ａ，２０ｂに供給される。
【００８８】
ＣＲＤ２０ａ，２０ｂ内に高圧水が供給されると、ＣＲＤ２０ａ，２０ｂ内の図示しないピストンが高速で押し上げられ、ピストン先端側に保持された制御棒が炉心内に急速に挿入され、スクラム作動が行なわれる。このスクラム作動により、対をなすＣＲＤ２０ａ，２０ｂの制御棒が炉心内が全挿入される。
【００８９】
制御棒のスクラム作動は、スクラム信号がリセットされるまで、アキュムレータ１５内の高圧水がＣＲＤ２０ａ，２０ｂに供給され続け、アキュムレータ１５内の高圧水が無くなっても、スクラム弁１８は開放状態に保持されているので、代りにＣＲＤポンプ２からの高圧水が充填水ライン１１を経て供給され続ける。
【００９０】
ＣＲＤポンプ２からの高圧水が充填水ライン１１を経て供給され続けることにより、充填水ライン１１内の圧力が低下しようとするが、この時、充填水チェック弁１４Ａ内の中間ボディブロック３３に備えられたオリフィス５６が抵抗となり、充填水ライン１１内の圧力低下が緩和され、インタロック作動の設定値より下がるのを有効に防止できる。したがって、単一ＨＣＵ１０のスクラム時にインタロック作動により全炉心スクラムが生じ、ＡＢＷＲの運転が停止してしまうことがなく、経済的で効率のよい運転を保証できる。
【００９１】
充填水チェック弁１４Ａに図８に示す如くオリフィス５６を備えることにより、既存のＣＲＤの水圧駆動システムを利用することができる。オリフィス５６を備えた充填水チェック弁１４Ａは、図１，図５，図６および図７に示す水圧駆動システムの充填水チェック弁１４に代えて用いてもよい。
【００９２】
また、オリフィス５６を備えた充填水チェック弁１４Ａは、図３に示された充填水チェック弁１４の中間ボディブロック５６に必要なスペースを最小限に設定できるので充填水チェック弁１４Ａが図３に示すチェック弁より大型化することがない。
【００９３】
さらに、充填水チェック弁１４Ａの中間ボディブロック３３は着脱可能に組み立てられているので、取外しが容易である。図３に示された充填水チェック弁１４にオリフィスを追加する場合、チェック弁全体の交換が不要となり、オリフィス付きの中間ボディブロック３３を交換するだけで対応することができる。
【００９４】
ところで、ＣＲＤの水圧駆動システムの各実施形態には、充填水ライン１１の圧力計８の下流側にオリフィスを設置した例を説明したが、オリフィスを充填水ライン１１に設置した場合、ＨＣＵ１０内の充填水チェック弁１４Ｂは既存のチェック弁を用いてもよい。
【００９５】
この充填水チェック弁１４Ｂは、図９に示すように、ボディブロック６４とキャップブロック６５を重ね合せ、締付ボルト６６で着脱自在に締結した二層構造である。ボディブロック６４には、流入口６７が形成され、充填水配管４に上流側に固定接続される一方、内部に弁体として逆流阻止用ボール６８を収容した充填水流路６９が形成され、上記ボール６８が弁シートに着座するようになっいてる。また、キャップブロック６５は流出口７０を備え、充填水配管４の下流側に固定接続される。この場合、ボディブロック６４およびキャップブロック６５はいずれも充填水配管４に溶接等で固定接続されるので、ボディブロック６４とキャップブロック６５を充填水配管４から取り外すことができる。
【００９６】
次に、本発明に係るＣＲＤ水圧駆動システムの運用方法を説明する。
【００９７】
図１０に示すＣＲＤ水圧駆動システム１の運用に当っては、充填水ライン１１にＨＣＵ１０との仕切弁を兼ねる充填水止め弁１３を微開の状態で使用する。充填水止め弁１３を微開（微小開放）状態で使用することにより、充填水ライン１１に圧力計８の下流側にオリフィスを設けたものと等価となる。
【００９８】
図１０に示すＣＲＤ水圧駆動システム１においては、図示しない中央制御室の操作盤からスクラム指令（スクラム信号）を出力することにより、ＨＣＵ１０内のスクラム弁１８が開作動し、単一ＨＣＵ１０によるスクラム作動が行なわれる。このスクラム作動により、アキュムレータ１５内の高圧水がスクラム弁１８および仕切弁１９ａ，１９ｂを経て対をなすＣＲＤ２０ａ，２０ｂ内に急速に供給され、ＣＲＤ２０ａ，２０ｂ内の図示しないピストンを押し上げる。このピストン上昇により、ピストンの先端側に保持された制御棒が炉心内に急速に挿入され、対をなすＣＲＤ２０ａ，２０ｂはスクラムされる。
【００９９】
制御棒のスクラム操作時には、スクラム信号がリセットされるまで、アキュムレータ１５内の高圧水が無くなると、代りにＣＲＤポンプ２からの高圧水が充填水ライン１１を通ってＣＲＤ２０ａ，２０ｂ内に供給され続ける。
【０１００】
このとき、充填水ライン１１の圧力計８の下流側に設置された充填水止め弁１３を微開状態にセットすると、充填水止め弁１３はオリフィスと等価となり、抵抗となって充填水ライン１１の圧力低下が緩和され、インタロック作動の設定値より下がるのを防止できる。したがって、単一ＨＣＵ１０のスクラム時に、インタロック作動によって全炉心スクラムが生じるのを有効的に防止できる。
【０１０１】
ＨＣＵ１０内の充填水止め弁１３を微開状態にセットすることは、図１，図５，図６および図７に示すＣＲＤの水圧駆動システムにも適用することができる。この場合には、充填水ライン１１の圧力計８の下流側に設けたオリフィス２２，５０，５２または５４と充填水止め弁１３で充填水ライン１１を２度絞ることになるので、オリフィスおよび充填水止め弁１３の両側における圧力差を小さくすることができる。
【０１０２】
さらに、本発明に係るＣＲＤ水圧駆動システムの運用方法の他の例として、図１０に示すＣＲＤの水圧駆動システム１において、対をなすＣＲＤ２０ａ，２０ｂのスクラム作動の際、スクラム作動後のリセット時間を短く設定すればよい。
【０１０３】
制御棒のスクラム操作時において、スクラム信号が一旦出力されると、スクラム信号がリセットされるまでスクラム弁１８は開放状態に保たれ、開いたままである。スクラム弁１８が開放状態に保持されると、アキュムレータ１５内の高圧水が無くなっても、代りにＣＲＤポンプ２からの高圧水が充填水ライン１１を通って対をなすＣＲＤ２０ａ，２０ｂに供給され続ける。。
【０１０４】
このため、充填水ライン１１内の圧力は低下しようとするが、スクラム信号のリセット時間を短くすることにより、所要のリセット時間経過後にスクラム弁１８を閉じることができる。リセット時間を短くすることにより、充填水ライン１１内の圧力がインタロック作動の設定値まで下がる前にリセットが作用して圧力回復を図ることができる。したがって、単一ＨＣＵ１０のスクラム時に充填水ライン圧力低によるインタロック作動によって全炉心スクラムが生じるのを未然にかつ確実に防止できる。
【０１０５】
本発明に係るＣＲＤ水圧駆動システムの運用方法の別の例として、図１０に示すＣＲＤ水圧駆動システム１のＣＲＤ２０ａ，２０ｂがスクラム作動する前あるいはスクラム操作時にＨＣＵ１０内の充填水止め弁１３を全閉にする方法てある。
【０１０６】
単一ＨＣＵ１０作動による対をなすＣＲＤ２０ａ，２０ｂのスクラム操作時に、充填水止め弁１３を全閉にすることにより、スクラム時に、ＣＲＤポンプ２からの高圧水が充填水ライン１１を通って対をなすＣＲＤ２０ａ，２０ｂに流れるのを防止できる。このため、充填水ライン１１内の圧力は高圧に保たれたまま変化することがなく、単一ＨＣＵ１０のスクラム時にインタロック作動によって全炉心スクラムが生じるのを確実に防止できる。
【０１０７】
なお、ＣＲＤ水圧駆動システムの運用方法においては、図１０に示す既存のＣＲＤ水圧駆動システムに適用する例を示したが、この運用方法は、図１，図５，図６または図７に示されたＣＲＤ水圧駆動システムにも適用することができる。
【０１０８】
【発明の効果】
以上に述べたように、本発明に係る制御棒駆動機構の水圧駆動システムにおいては、請求項１の構成としたので、充填水ラインの圧力計の下流側に設けられたオリフィスの抵抗により、単一水圧制御ユニット（ＨＣＵ）のスクラム時、ＣＲＤポンプからの高圧水が充填水ラインを流れ続けても、充填水ラインの圧力低下を緩和し、充填水ライン圧力低によるインタロック作動を回避することができ、充填水ライン圧力低による全てのＣＲＤのスクラム事象を確実に防ぐことができる。
【０１０９】
また、本発明に係る制御棒駆動機構の水圧駆動システムにおいては、請求項２の構成としたので、単一水圧制御ユニット（ＨＣＵ）のスクラム時にＣＲＤポンプから供給される高圧水が充填水ラインを通って対をなすＣＲＤに流れ続けても、水圧制御ユニットの充填水配管に設けられたオリフィスの抵抗により、充填水ラインの圧力低下が緩和され、充填水ライン圧力低によるインタロック作動を確実に防止し、インタロック作動による全てのＣＲＤのスクラム事象を未然にしかも確実に防止することができる。
【０１１０】
さらに、本発明に係る制御棒駆動機構の水圧駆動システムにおいては、請求項３の構成とすることにより、充填水チェック弁を流入側ボディブロック、中間ボディブロック、流出側ボディブロックを重ね合せ、分解可能な三層構造に構成したので、弁体と弁シートを備えた中間ボディブロックを簡単かつ容易に取り出すことができ、弁シート部の仕上げ作業が容易となる一方、チェック弁の動的部分の保守、点検、メンテナンスが容易となる。
【０１１１】
また、本発明に係る制御棒駆動機構の水圧駆動システムにおいては、請求項４の構成とすることにより、単一水圧制御ユニット（ＨＣＵ）のスクラム時にＣＲＤポンプから供給される高圧水が充填水ラインを通ってＣＲＤに流れ続けても、ＨＣＵの充填水配管に設置された充填水チェック弁にオリフィスを備えたので、このオリフィスの抵抗により充填水ラインの圧力低下が緩和され、充填水ライン圧力低によるインタロック作動を回避することができ、インタロック作動による全ての制御棒のスクラム事象を未然にかつ確実に防止できる。
【０１１２】
さらに、本発明に係る制御棒駆動機構の水圧駆動システムにおいては、請求項５の構成としたので、充填水チェック弁を流入側ボディブロックと中間ボディブロックと流出側ボディブロックとに分解可能な三層構造に組み立てることができ、弁体と弁シート部を収容した中間ボディブロックにオリフィスが備えられているので、オリフィスに必要なスペースを最小限とすることができる一方、オリフィスを備えた中間ボディブロックの交換が容易となるため、充填水チェック弁のメンテナンスが容易となる。
【０１１３】
一方、本発明に係る制御棒駆動機構の水圧駆動システムにおいては、請求項６の構成としたので、単一水圧制御ユニット（ＨＣＵ）のスクラム時にＣＲＤポンプから供給される高圧水が充填水ラインを通って対をなすＣＲＤに流れ続けても、ＨＣＵの充填水配管に設けられた充填水仕切弁を微開の状態で使用することにより、充填水仕切弁の抵抗により充填水ラインの圧力低下が緩和され、充填水ライン圧力低によるインタロック作動を確実に回避でき、インタロック作動による全ＣＲＤのスクラム事象を未然にかつ確実に防止することができる。
【０１１４】
他方、本発明に係る制御棒駆動機構の水圧駆動システムの運用方法においては、請求項７の構成としたので、単一水圧制御ユニット（ＨＣＵ）のスクラム時にＣＲＤポンプから供給される高圧水が充填水ラインを通って対をなすＣＲＤに流れ続けた場合に、短時間でスクラムリセットを行なうことにより、充填水ラインの圧力がインタロック作動の設定値まで低下することを未然に防止でき、充填水ライン圧力低によるインタック作動を防止し、全ＣＲＤのスクラム事象を確実に防止することができる。
【０１１５】
さらに、本発明に係る制御棒駆動機構の水圧駆動システムの運用方法においては、請求項８の構成としたので、単一水圧制御ユニット（ＨＣＵ）の充填水配管の仕切弁を全閉とすることにより、単一ＨＣＵのスクラム時には対をなすＣＲＤにアキュムレータ内の高圧水しか流れず、充填水ラインの高圧水が流れることがないので、充填水ラインの圧力低下が生じることがなく、充填水ライン圧力低によるインタロック作動を防止し、全ＣＲＤのスクラム事象を確実にかつ未然に防止できる。
【図面の簡単な説明】
【図１】本発明に係る制御棒駆動機構の水圧駆動システムの一実施形態を示す系統図。
【図２】図１に示した水圧駆動システムの充填水ラインに設置されるオリフィスを示す縦断面図。
【図３】図１に示した水圧駆動システムの充填水ラインに、水圧制御ユニット内で設置される充填水チェック弁を示す断面図。
【図４】オリフィスの別の実施例を示す縦断面図。
【図５】本発明に係る制御棒駆動機構の水圧駆動システムの第２実施形態を示す系統図。
【図６】本発明に係る制御棒駆動機構の水圧駆動システムの第３実施形態を示す系統図。
【図７】本発明に係る制御棒駆動機構の水圧駆動システムの第４実施形態を示す系統図。
【図８】制御棒駆動機構の水圧駆動システムに用いられるオリフィス付きの充填水チェック弁を示す断面図。
【図９】制御棒駆動機構の水圧駆動システムに用いられる既存の充填水チェック弁を示す断面図。
【図１０】従来の制御棒駆動機構の水圧駆動システムを示す系統図。
【符号の説明】
１，２１，２１Ａ，２１Ｂ，２１Ｃ  制御棒駆動機構（ＣＲＤ）の水圧駆動システム
２  ＣＲＤポンプ
３  パージ水配管
４  充填水配管
４ａ，４ｂ，…，４ｎ  充填水分岐管
５  オリフィス
６  逆止弁
７  アキュムレータ
８  圧力計
９  充填水ヘッダ
１０  水圧制御ユニット（ＨＣＵ）
１１  充填水ライン
１２  駆動水配管
１２ａ，１２ｂ  駆動水分岐管
１３  充填水止め弁（充填水仕切弁）
１４，１４ａ，１４ｂ  充填水チェック弁
１５  アキュムレータ
１７  窒素容器（圧力容器）
１８  スクラム弁
１９ａ，１９ｂ  仕切弁
２０ａ，２０ｂ  制御棒駆動機構（ＣＲＤ）
２２，４４，５０，５２，５４，５６  オリフィス
２５，４７ａ，４７ｂ，６１  オリフィス孔
２６，４６ａ，４６ｂ，６０  隔壁（仕切壁）
２７ａ，２７ｂ  チャンバ
３０  流入口
３１  流入側ボディブロック
３２  充填水流路
３３  中間ボディブロック
３４  流出口
３５  流出側ボディブロック
３６  締付ボルト（締結手段）
４１  逆流阻止用ボール（弁体）
４８  膨脹チャンバ
６４  ボディブロック
６５  キャップブロック
６７  流入口
６８  逆流阻止用ボール
６９  充填水流路
７０  流出口
【図１】
0003552849.tif 000002
【図２】
0003552849.tif 000003
【図３】
0003552849.tif 000004
【図４】
0003552849.tif 000005
【図５】
0003552849.tif 000006
【図６】
0003552849.tif 000007
【図７】
0003552849.tif 000008
【図８】
0003552849.tif 000009
【図９】
0003552849.tif 000010
【図１０】
0003552849.tif 000011